(57)【要約】【課題】電池蓋に過度な荷重を加えても、回転軸や軸受けが変形することを抑制し、電池蓋の電池室に対する位置精度を高めることが可能な電子機器を提供すること。【解決手段】電池を収納可能な電池室が形成される電池室形成部材と、前記電池室形成部材に保持される回転軸と、前記回転軸を中心に回動することで前記電池室の開口部を覆う閉状態から前記開口部を開放する開状態となる電池蓋と、三脚取り付け部材と、を備え、前記三脚取り付け部材には、前記電池蓋が前記開状態において、前記電池蓋が開方向に回動された際に、前記回転軸の移動を規制する規制部が形成されている。【選択図】図４
2015125204.tif 000002
【特許請求の範囲】
【請求項１】
電池を収納可能な電池室が形成される電池室形成部材と、
前記電池室形成部材に保持される回転軸と、
前記回転軸を中心に回動することで前記電池室の開口部を覆う閉状態から前記開口部を開放する開状態となる電池蓋と、
三脚取り付け部材と、を備え、
前記三脚取り付け部材には、前記電池蓋が前記開状態において、前記電池蓋が開方向に回動された際に、前記回転軸の移動を規制する規制部が形成されていることを特徴とする電子機器。
【請求項２】
前記回転軸は、前記電池室形成部材にて位置決めされ、前記規制部では位置決めされないことを特徴とする請求項１に記載の電子機器。
【請求項３】
前記電池室形成部材には、前記回転軸の両端をそれぞれ位置決め保持する２つの軸嵌合部が形成され、
前記２つの軸嵌合部の間に前記規制部が位置するように、前記三脚取り付け部材が配置されていることを特徴とする請求項１または２に記載の電子機器。
【請求項４】
前記電池蓋は、前記回転軸が挿入される軸保持部が形成されるプレート部材と、前記プレート部材に対してスライドするカバー部材と、を有し、
前記規制部は、前記２つの軸嵌合部の間に２か所形成され、
前記軸保持部は、前記２つの規制部の間に位置するように、プレート部材が配置されていることを特徴とする請求項３に記載の電子機器。
【請求項５】
前記プレート部材には、前記電池蓋が前記開状態となるときに、前記三脚取り付け部材に形成された第１の当接部と当接する第２の当接部が形成されていることを特徴とする請求項４に記載の電子機器。
【請求項６】
外部出力用の接続部材を備えた回路基板と、
前記接続部材に当接する放熱部材と、を更に有し、
前記放熱部材は、前記電池蓋が前記閉状態において、前記電池蓋と当接することを特徴とする請求項１から５のいずれか１項に記載の電子機器。
【請求項７】
前記電池蓋と前記放熱部材が当接する箇所は、少なくともいずれか一方が弾性変形することを特徴とする請求項６に記載の電子機器。
【発明の詳細な説明】
【技術分野】
【０００１】
本発明は、回動する電池蓋を備えた電子機器に関する。
【背景技術】
【０００２】
従来のデジタルカメラ等の電子機器では、電池を収納する電池室を内部に備えている。電池蓋は、回転軸を中心にして、電池を挿抜するための電池装着口を覆う閉状態と電池を電池挿入口に挿抜可能な開状態との間を回動可能である。電池蓋が開状態において、不用意にさらに電池蓋に電池挿入口が開く方向へ力が加わると、電池蓋や回転軸等が塑性変形してしまうおそれがある。
【０００３】
特許文献１では、電池蓋の回動軸を弾性支持部材により装置本体に支持し、開放側制限位置にある電池蓋にさらに力が加わると、弾性支持部材の弾性変形により回動軸が移動することで、電池蓋の開放側制限を超えた開放が許容される構成が開示されている。
【０００４】
また、特許文献２では、電池蓋に設けられた穴部と、穴部を開放可能に塞ぐように電池蓋に取り付けられた少なくとも一部に弾性材料で形成された当接部を有することが開示されている。
【先行技術文献】
【特許文献】
【０００５】
【特許文献１】特開２００５−２０８１４３号公報
【特許文献２】特開２０１２−３８４６５号公報
【発明の概要】
【発明が解決しようとする課題】
【０００６】
特許文献１では、電池蓋を開状態から閉状態にする際に回動軸が移動するため、電池蓋を閉状態における所定の位置に配置させることが困難になってしまう。また、電子機器が大型で電池蓋も大きくなり重くなる場合、電池蓋の重量により、回動軸の位置が定まらないことがある。
【０００７】
また、特許文献２では、外観部に弾性体を用いることが必須となってしまうため、外観のデザイン上制約が発生してしまう。
【０００８】
このような課題を鑑みて、本発明は、電池蓋に過度な荷重を加えても、回転軸や軸受けが変形することを抑制し、電池蓋の電池室に対する位置精度を高めることが可能な電子機器を提供することを目的とする。
【課題を解決するための手段】
【０００９】
本発明の一側面としての電子機器は、電池を収納可能な電池室が形成される電池室形成部材と、前記電池室形成部材に保持される回転軸と、前記回転軸を中心に回動することで前記電池室の開口部を覆う閉状態から前記開口部を開放する開状態となる電池蓋と、三脚取り付け部材と、を備え、前記三脚取り付け部材には、前記電池蓋が前記開状態において、前記電池蓋が開方向に回動された際に、前記回転軸の移動を規制する規制部が形成されていることを特徴とする。
【発明の効果】
【００１０】
本発明によれば、電池蓋に過度な荷重を加えても、回転軸や軸受けが変形することを抑制し、電池蓋の電池室に対する位置精度を高めることが可能な電子機器を提供することができる。
【図面の簡単な説明】
【００１１】
【図１】本発明の実施形態に係る電子機器の一例であるデジタルカメラの外観斜視図である。
【図２】デジタルカメラの背面カバーユニットとカバーユニットを分解した分解斜視図である。
【図３】電池蓋の分解斜視図である。
【図４】電池蓋の取り付け状態を説明するための簡略図である。
【図５】電池蓋の説明図である。
【図６】放熱プレートの説明図である。
【発明を実施するための形態】
【００１２】
以下、本発明の実施例について、図面を参照しながら詳細に説明する。各図において、同一の部材については同一の参照番号を付し、重複する説明は省略する。本実施形態では、デジタルカメラを用いて説明するが、本発明は、ビデオカメラや携帯機器等の電子機器であって、電池を電源とするものを広く含む。
【００１３】
図１は、本発明の実施形態に係る電子機器の一例であるデジタルカメラ１の外観斜視図である。図１（ａ）は前面から見た図であり、図１（ｂ）、（ｃ）は背面から見た図である。
【００１４】
図１（ａ）に示されるように、デジタルカメラ１は、おもに背面カバーユニット１２と前面カバーユニット１３に覆われている。上面には操作系として、レリーズボタン１６、ズームレバー１７および電源ボタン１８が配置されている。レリーズボタン１６は、２段スイッチとなっており、一段押しでデジタルカメラ１に搭載されたオートフォーカス機構によりフォーカス調整を行い、一段押しからさらに押し込む２段階押しでシャッター動作を行う。ズームレバー１７は、撮影レンズ１４のズーム動作を行う。電源ボタン１８は、デジタルカメラ１の起動のＯＮ／ＯＦＦを行う。
【００１５】
デジタルカメラ１の前面側には、撮影レンズ１４とストロボ１５が配置されている。電源ボタン１８や、レリーズボタン１６を操作することで、撮影レンズ１４が突出して撮影が可能になる。ストロボ１５は、撮影時に光量が足りないとき等に必要に応じて発光して、光量を補う。
【００１６】
デジタルカメラ１の背面側には、ＬＣＤパネル１２ａが備え付けられている。ＬＣＤパネル１２ａを用いて、撮影する被写体を確認したり、撮影画像を確認したりすることが可能である。操作ボタン１２ｂと操作レバー１２ｃは、撮影画像の選択する際や、撮影モードの切り替え、選択等を行う際に操作する。
【００１７】
デジタルカメラ１の底面部には、電池が収納される電池室の開口部を開閉可能な電池蓋２が備えられている。電池蓋２は、デジタルカメラ１の底面部の外装の一部を形成する。デジタルカメラ１の底面部には、三脚を装着するための三脚ネジ穴が形成される三脚取り付け部材（金属部材）５が備えられている。三脚取り付け部材５は、電池蓋２に隣接して配置され、亜鉛ダイキャスト等の高剛性、かつ、熱伝導率の高い金属材料で形成されている。また、三脚取り付け部材５は、後述する電池室形成部材６およびシャーシ部材にネジで固定されている。
【００１８】
デジタルカメラ１の側面部には、コネクタカバー１９ａとサイドカバー１９ｂが備えられている。コネクタカバー１９ａを開けることにより、後述する外部出力用の接続部材であるＵＳＢコネクタ４１やＨＤＭＩ（登録商標）用コネクタ４２が露出する。ＵＳＢケーブルやＨＤＭＩケーブルをそれぞれのコネクタに接続することによって、ＰＣやテレビ等の外部機器に映像データ等を出力することが可能になる。
【００１９】
図２は、デジタルカメラ１の背面カバーユニット１２と前面カバーユニット１３を分解した分解斜視図になる。
【００２０】
回転軸３は、金属材料で形成されており、電池蓋２を回動自在に保持している。
【００２１】
デジタルカメラ１の駆動制御や画像処理等が行われる回路基板４は、電池室形成部材６に固定されている。回路基板４には、ＵＳＢコネクタ４１、ＨＤＭＩコネクタ４２、映像処理エンジン、画像を記録するＳＤカード等のメモリカードと接続を行うメモリカードコネクタ、そして、電池からの駆動電力供給に使用する電池コネクタ等が実装されている。
【００２２】
電池室形成部材６は、合成樹脂材料で形成され、電池を収納する電池室が形成される。電池室形成部材６は、シャーシ部材にネジで固定されている。電池室形成部材６には、デジタルカメラ１に電力を供給する電池を収納可能である。また、電池室形成部材６には電池を電池室に挿抜するための装着口（開口部）６ａが形成されている。電池蓋２が閉状態となるとき、電池蓋２は装着口６ａを覆う。電池蓋２が開状態となるとき、電池蓋２は装着口６ａを開放し、電池の挿抜が可能になる。ＵＳＢコネクタ４１やＨＤＭＩコネクタ４２の近傍には、金属材料で形成している放熱プレート（放熱部材）７が備えられている。放熱プレート７は、電池室形成部材６に固定されている。
【００２３】
背面カバーユニット１２および前面カバーユニット１３は、底面部と側面部をネジでシャーシ部材に締結されて固定されている。デジタルカメラ１の側面部に備えられたサイドカバー１９ｂもシャーシ部材にネジで固定されている。サイドカバー１９ｂには、コネクタカバー１９ａが係合されて保持されている。
【００２４】
サイドカバー１９ｂは、コネクタ開口部１９ｃ、１９ｄを備えている。ＵＳＢコネクタ４１はコネクタ開口部１９ｃを貫通し、ＨＤＭＩコネクタ４２はコネクタ開口部１９ｄを貫通する。コネクタカバー１９ａを開けることでＵＳＢコネクタ４１とＨＤＭＩコネクタ４２が露出するため、各ケーブルの接続が可能となる。
【００２５】
次に、図３を用いて電池蓋２の構成について説明する。図３は、電池蓋２の分解斜視図である。
【００２６】
電池蓋２は、電池カバー（カバー部材）２１、インナープレート（プレート部材）２２、固定プレート２３およびビス２４で構成されている。電池カバー２１は、合成樹脂材料で形成された外観部品であり、電池室形成部材６と係合することでロックされる機構を備えている。固定プレート２３は、電池カバー２１と固定プレート２３との間にインナープレート２２を挟み込んだ状態で、ビス２４で電池カバー２１に固定されている。インナープレート２２の一方端には回転軸３が挿入される軸保持部２２ａが２か所形成されている。軸保持部２２ａは、インナープレート２２を板厚方向に巻くようなカーリング形状でそれぞれ形成されている。軸保持部２２ａの内側は、略円筒形状であり、回転軸３を軸保持部２２ａに挿入した場合、回転軸３と軸保持部２２ａとの間には、インナープレート２２が回転軸３を回動中心として回動する程度の隙間が形成されている。
【００２７】
固定プレート２３と電池カバー２１はビス２４で固定されているが、インナープレート２２は固定プレート２３と電池カバー２１との間に挟み込まれているだけである。したがって、固定プレート２３と電池カバー２１は、インナープレート２２に対して、自在にスライド移動することが可能である。デジタルカメラ１に装着する電池を挿抜する際は、図１（ｂ）に示される状態から電池カバー２１を図１（ｃ）に示されるようにスライドさせることで、電池カバー２１と電池室形成部材６とのロックが解除される。図１（ｃ）の状態にて、回転軸３を回動中心にして電池蓋２を回動させることで、電池蓋２は開状態となり、電池室形成部材６に形成された装着口６ａを開放させる。
【００２８】
図４は、電池蓋２の取り付け状態を説明するための簡略図である。図４（ａ）は全体図であり、図４（ｂ）は図４（ａ）のＡ部の拡大図である。
【００２９】
電池蓋２を閉状態にした際、外観の品位を保つために、外観部の電池カバー２１が背面カバーユニット１２や前面カバーユニット１３、さらにはサイドカバー１９ｂとの隙間を最小限に抑えることが必要である。
【００３０】
本実施形態では、図４（ａ）に示されるように、回転軸３の両端は、電池室形成部材６に形成される２つの軸嵌合部６ｂに保持されている。図４（ｂ）に示されるように、回転軸３の一端と軸嵌合部６ｂとの間には、隙間Ｘが形成されている。隙間Ｘは極めて小さな寸法となるように設計されている。これにより、回転軸３は電池室形成部材６に対して高精度に位置決められる。また、電池室形成部材６は樹脂で形成されているため、軸嵌合部６ｂの一部を回転軸３の軸径よりも小さくしてもよい。このように構成することで、回転軸３を軸嵌合部６ｂに挿入する際に、回転軸３が軸嵌合部６ｂに軽圧入され、隙間Ｘをさらに小さくすることができる。
【００３１】
三脚取り付け部材５には、２か所の軸受け部（規制部）５ａが形成されている。三脚取り付け部材５に形成された２か所の軸受け部５ａが２か所の軸嵌合部６ｂの間に位置するように、三脚取り付け部材５は電池室形成部材６およびシャーシ部材に固定されている。さらに、２か所の軸保持部２２ａが２か所の軸受け部５ａの間に位置するように、インナープレート２２が配置されている。図４（ａ）に示されるように、回転軸３は、２か所の軸嵌合部６ｂ、２か所の軸受け部５ａおよび２か所の軸保持部２２ａに挿入される。図４（ｂ）に示されるように、軸受け部５ａと回転軸３との間には、隙間Ｙが形成されている。隙間Ｙは隙間Ｘより大きな寸法となるように設計されている。すなわち、軸受け部５ａと回転軸３との間には、ガタがある状態となっている。これにより、回転軸３は２か所の軸嵌合部６ｂで位置決めされ、軸受け部５ａでは回転軸３の位置決めを行っていない。このような構造によって、インナープレート２２は、回転軸３を回動中心に回動することができる。
【００３２】
図５は、電池蓋２の説明図である。図５（ａ）は電池蓋２が開状態のときの状態図であり、図５（ｂ）は図５（ａ）のＢ部の拡大図である。図５（ｂ）では、説明に不要な部品は省略している。
【００３３】
本実施形態では、電池蓋２を開き方向に付勢するトーションばねのコイル部がインナープレート２２の２か所の軸保持部２２ａに配置されている。したがって、図１（ｂ）に示される状態から図１（ｃ）に示される状態となると、トーションばねの付勢力によって電池蓋２が開き方向に回動して、図５（ａ）に示される状態となる。電池蓋２が開状態となるときには、図５（ｂ）に示されるように、電池蓋２が開状態となるとき、インナープレート２２に形成された突起部２２ｂが三脚取り付け部材５に形成されたストッパー部５ｂと当接する。これによって、電池蓋２の開き方向回転が制限される。電池蓋２の開き角度は、９０度以上に設定される。
【００３４】
ストッパー部５ｂと当接する突起部２２ｂは、デジタルカメラ１の外観とならない非外観部である。そのため、突起部２２ｂとストッパー部５ｂが何度も当接し、衝撃を加えても、また、過度な力を加えて傷や打痕が発生しても、電池蓋２を閉状態にした際には、突起部２２ｂは電池カバー２１で覆われるので外観の品位を損なうことはない。なお、インナープレート２２と三脚取り付け部材５はともに金属材料で形成されているため、傷や打痕が発生しにくい。
【００３５】
電池蓋２が開状態のときに不用意にさらに電池蓋２を開く方向（開方向）に力が加わった際に、てこの原理によりインナープレート２２の突起部２２ｂや回転軸３に大きな力が加わる。インナープレート２２は金属材料で構成されているため容易に変形することはないが、回転軸３を保持している軸嵌合部６ｂは樹脂で形成されているため破損してしまうおそれがある。本実施形態では、回転軸３が２か所の軸受け部５ａに挿入されている。そのため、電池蓋２が開状態からさらに開き方向に力が加わったとしても、電池室形成部材６の軸嵌合部６ｂが破損前に回転軸３が軸受け部５ａに当接する。三脚取り付け部材５の軸受け部５ｂは金属材料で形成されているため、回転軸３の軸周辺や回転軸３の保持部である軸嵌合部６ｂの変形を抑制することが可能となる。また、回転軸３の位置決め部である軸嵌合部６ｂを軸受け部５ａの外側に配置しているため、回転軸３の位置決め箇所は変形により移動することがない。なお、本実施形態では、軸受け部５ａは貫通穴としているが、電池蓋２に力が加わった際に回転軸３の移動を規制することが可能であれば壁やリブであってもよい。
【００３６】
次に、図６を用いて、ＵＳＢコネクタ４１やＨＤＭＩコネクタ４２の放熱構造について説明する。図６は、放熱プレートの説明図である。
【００３７】
放熱プレート７は、ＵＳＢコネクタ４１およびＨＤＭＩコネクタ４２の近傍に備えられており、ネジやフック構造で電池室形成部材６と固定されている。放熱プレート７には、ＵＳＢコネクタ４１、ＨＤＭＩコネクタ４２とそれぞれ当接しているコネクタ当接面７ａ、７ｂが形成されている。コネクタ当接面７ａ、７ｂは、板ばね構造になっているため、ＵＳＢコネクタ４１とＨＤＭＩコネクタ４２をそれぞれ押しつける。この構造により、放熱プレート７をＵＳＢコネクタ４１およびＨＤＭＩコネクタ４２と確実に当接させることが可能となる。
【００３８】
放熱プレート７の電池蓋２の近傍には、板ばね構造で先端が傾斜している電池蓋当接部７ｃが形成されている。また、電池蓋２のインナープレート２２は、放熱プレート７の近傍にプレート当接部２２ｃが形成されている。電池蓋２を閉状態にすると、電池蓋当接部７ｃとプレート当接部２２ｃが当接する。
【００３９】
本実施形態では、電池蓋２を閉状態から開状態にする際には、電池蓋２を図１（ｂ）の状態から図１（ｃ）の状態までスライドさせ、その後、図１（ｃ）の状態から図５（ａ）の状態まで回転軸３を中心に回転させる。電池蓋２を図１（ｂ）の状態から図１（ｃ）の状態までスライドさせた時点では電池カバー２１と固定プレート２３だけがスライド移動し、インナープレート２２は移動しない。そのため、電池蓋２を閉状態から開状態にする過程において、インナープレート２２は回転軸３を中心に回動する動作のみ行う。電池蓋当接部７ｃは板ばね構造であり、かつ、先端が傾斜になっているため、閉状態において放熱プレート７とインナープレート２２が確実に当接する。なお、本実施形態では、電池蓋当接部７ｃが板ばね構造で弾性変形するように構成しているが、プレート当接部２２ｃを弾性変形するようにしてもよい。
【００４０】
デジタルカメラ１を動作させているときには、回路基板４は、デジタルカメラ１の駆動制御や撮影する画像処理を行うため、温度が上昇し高温になる。その中でも、ＵＳＢコネクタ４１やＨＤＭＩコネクタ４２が高温になる実装部品の１つである。  本実施形態では、ＵＳＢコネクタ４１とＨＤＭＩコネクタ４２は金属材料で形成された放熱プレート７と当接しているため、ＵＳＢコネクタ４１とＨＤＭＩコネクタ４２で発熱した熱は放熱プレート７に導熱し温度上昇が抑制される。また、放熱プレート７はインナープレート２２と当接しているため、ＵＳＢコネクタ４１とＨＤＭＩコネクタ４２で発熱した熱はインナープレート２２に導熱する。インナープレート２２は回転軸３を介して三脚取り付け部材５と当接しているため、ＵＳＢコネクタ４１とＨＤＭＩコネクタ４２で発熱した熱は三脚取り付け部材５まで導熱される。三脚取り付け部材５は側面コネクタ部と比較して温度上昇が少なく、三脚取り付け部材５を形成している金属材料が外観部に露出しているため、三脚取り付け部材５に熱を伝導させることは放熱効率が良い。また、デジタルカメラ１に三脚を取り付けて使用した際はさらに熱伝導効率が高くなり、ＵＳＢコネクタ４１とＨＤＭＩコネクタ４２の温度が下がることになる。
【００４１】
以上、本発明の好ましい実施形態について説明したが、本発明はこれらの実施形態に限定されず、その要旨の範囲内で種々の変形及び変更が可能である。
【符号の説明】
【００４２】
１          デジタルカメラ（電子機器）
２          電池蓋
３          回転軸
５          三脚取り付け部材（金属部材）
５ａ        軸受け部（規制部）
６          電池室形成部材
６ａ        装着口（開口部）
６ｂ        軸嵌合部（軸受け部）
【図１】
2015125204.tif 000003
【図２】
2015125204.tif 000004
【図３】
2015125204.tif 000005
【図４】
2015125204.tif 000006
【図５】
2015125204.tif 000007
【図６】
2015125204.tif 000008